(57)【特許請求の範囲】
【請求項１】
電気電子機器が取り付けられる基台と、この基台を被覆するカバー部材とから構成される電気電子機器収納用キャビネットにおいて、
前記基台を、電気電子機器を抱持する取付ベルトが挿通するベルト挿通孔が、少なくとも３列・３行以上形成され、電気電子機器を取り付ける機器取付部と、
前記機器取付部の周囲に形成された枠部とから構成するとともに、
前記機器取付部の裏面と、枠部の裏面であるキャビネット取付面とを離間させたことを特徴とする電気電子機器収納用キャビネット。
【請求項２】
基台のベルト挿通孔が形成されている機器取付部の周囲部に、取付ボスを設けたことを特徴とする請求項１に記載の電気電子機器収納用キャビネット。
【請求項３】
ベルト挿通孔を格子構造により形成したことを特徴とする請求項１または２に記載の電気電子機器収納用キャビネット。
【発明の詳細な説明】
【技術分野】
【０００１】
本発明は、内部に電気機器や電子機器を収納する電気電子機器収納用キャビネットの改良に関するものである。
【背景技術】
【０００２】
近年、各家庭にＡＤＳＬやＦＴＴＨ等のブロードバンドインターネット環境が普及している。また、一般家庭において、複数のパーソナルコンピュータをインターネットに接続することも増加している。このように、複数のパーソナルコンピュータをインターネットに接続する場合には、ブロードバンドルータやＨＵＢ等の複数の電気電子機器が必要となり、また、前記電気電子機器の配線が複雑になってしまうことから、そのまま、リビングルーム等に設置すると、見栄えが悪くなってしまう。
【０００３】
そこで、特許文献１に示されるように、内部にブロードバンドルータやＨＵＢ等の電気電子機器をまとめて収納する電気電子機器収納用キャビネットが提案されている。このような電気電子機器収納用キャビネットは、キャビネット内部に設けられた取付用の木板に、電気電子機器を、木ねじで取り付けていた。電気電子機器に取付穴が設けられていない場合には、専用の押さえ金具と金属製基板で挟み込んで、前記金属製基板を木ねじで、前記木板に取り付けていた。このため、前記電気電子機器の取り付けに大変手間がかかるだけでなく、前記押さえ金具や金属製基板からなる専用の取付金具が必要となり、大変コスト高になってしまうという問題があった。
【特許文献１】特開２００４−３１１５００号公報
【発明の開示】
【発明が解決しようとする課題】
【０００４】
電気電子機器の取り付けに手間がかからず、コスト高にならない電気電子機器収納用キャビネットを提供する。
【課題を解決するための手段】
【０００５】
上記課題を解決するためになされた請求項１に記載の発明は、電気電子機器が取り付けられる基台と、この基台を被覆するカバー部材とから構成される電気電子機器収納用キャビネットにおいて、
前記基台を、電気電子機器を抱持する取付ベルトが挿通するベルト挿通孔が、少なくとも３列・３行以上形成され、電気電子機器を取り付ける機器取付部と、
前記機器取付部の周囲に形成された枠部とから構成するとともに、
前記機器取付部の裏面と、枠部の裏面であるキャビネット取付面とを離間させたことを特徴とする。
【０００７】
請求項２に記載の発明は、基台のベルト挿通孔が形成されている機器取付部の周囲部に、取付ボスを設けたことを特徴とする。
【０００８】
請求項３に記載の発明は、ベルト挿通孔を格子構造により形成したことを特徴とする。
【発明の効果】
【０００９】
請求項１に記載の発明は、電気電子機器が取り付けられる基台と、この基台を被覆するカバー部材とから構成される電気電子機器収納用キャビネットにおいて、前記基台を、電気電子機器を抱持する取付ベルトが挿通するベルト挿通孔が、少なくとも３列・３行以上形成され、電気電子機器を取り付ける機器取付部と、前記機器取付部の周囲に形成された枠部とから構成したので、電気電子機器を取付ベルトで抱持して、基台に取り付けることが可能となり、従来のように、電気電子機器をネジ止めして基台に取り付ける必要がなく、基台への電気電子機器の取付作業を迅速に行うことが可能となった。また、基台に取り付ける電気電子機器に取付穴がない場合であっても、従来のように、専用の取付金具を必要とせず、簡単に基台に取り付けることができ、専用の取付金具のコストを削減することが可能となった。
【００１０】
更に請求項１に記載の発明は、機器取付部の裏面と、枠部の裏面であるキャビネット取付面とを離間させたので、電気電子機器収納用キャビネットを壁面等の取付場所に取り付けた場合であっても、機器取付部の裏面と前記取付場所との間に空間があることから、取付ベルトを、ベルト挿通孔に挿通させることが可能となった。また、機器取付部の裏面と前記取付場所との間に空間があることから、電気電子機器の配線をベルト挿通孔に出し入れすることができ、前記配線を機器取付部の裏側に配設することが可能となった。
【００１１】
請求項２に記載の発明は、基台のベルト挿通孔が形成されている機器取付部の周囲部に、取付ボスを設けたので、取付ボスにフランジ付ネジを螺入して、フランジ付ネジのフランジ部で基板を押さえることにより、電気電子機器を取り付ける基板を基台に取り付けることが可能となった。
【００１２】
請求項３に記載の発明は、ベルト挿通孔を格子構造により形成したので、簡単な構造で、ベルト挿通孔を形成することが可能となった。
【発明を実施するための最良の形態】
【００１３】
（本発明の構成）
以下に、図面を参照しつつ本発明の好ましい実施の形態を示す。
図１は本発明の電気電子機器収納用キャビネット２０を上側から見た斜視図である。本発明の電気電子機器収納用キャビネット２０は、主に、電気電子機器が取り付けられる基台１と、この基台１を被覆するカバー部材２とから構成されている。
【００１４】
図２に基台１の斜視図を示し、図３に基台１の平面図を示し、図４に基台１の裏面斜視図を示す。図２〜図４に示されるように、基台１は格子状の機器取付部１ａと、機器取付部１ａの周囲に形成された枠部１ｂとから構成されている。なお、本実施形態では、機器取付部１ａと枠部１ｂとは、樹脂で一体に成型されている。基台１の枠部１ｂは、本実施形態では、長方形の枠形状をしている。
【００１５】
格子状の機器取付部１ａの連通する孔は、ベルト挿通孔１ｃとなっている。ベルト挿通孔１ｃの使用方法については、後で詳細に説明をする。本発明では、ベルト挿通孔１ｃは、少なくとも、横方向に３列以上、縦方向に３列以上形成されている。機器取付部１ａの格子の交点には、機器取付穴１ｄが形成されている。また、機器取付部１ａの格子上にも（言い換えると機器取付穴１ｄの間にも）機器取付穴１ｅが形成されている。
【００１６】
なお、本実施形態では、機器取付部１ａの格子には、成型時の変形を抑制するために、肉ぬすみ１ｆが凹陥形成されている。
【００１７】
図４に示される、基台１の裏面は、本発明の電気電子機器収納用キャビネット２０が、壁等に取り付けられるキャビネット取付面１ｇとなっている。機器取付部１ａの格子の裏面側（言い換えるとキャビネット取付面１ｇ側）には、脚部１ｊが突設されている。本実施形態では、脚部１ｊは、機器取付部１ａの格子の交点に突設されている。本実施形態では、図４に示されるように、枠部１ｂの裏面の外縁１ｔと脚部１ｊの先端とが、同一平面上に構成されていて、キャビネット取付面１ｇとなっている。機器取付部１ａの裏面とキャビネット取付面１ｇとは離間している。
【００１８】
図２や図３に示されるように、機器取付部１ａの周囲部には、言い換えると枠部１ｂの内側には、複数のリブ１ｑが突設されている。リブ１ｑは、機器取付部１ａの表面から突出している。また、本実施形態では、リブ１ｑの枠部１ｂとは、同一平面上に形成されている。
【００１９】
リブ１ｑの外側、言い換えると枠部１ｂには、複数の取付ボス１ｒが突設されている。取付ボス１ｒは、リブ１ｑよりも突出していて、取付穴１ｓが形成されている。本実施形態では、取付ボス１ｒの断面形状は円形状をしていて、機器取付部１ａと枠部１ｂの境界部分が切り欠かれている。
【００２０】
枠部１ｂの四隅には、枠部１ｂの表裏を連通するキャビネット取付穴１ｈが形成されている。また、枠部１ｂには、枠部１ｂの表裏を連通する長穴形状をしたキャビネット取付長穴１ｋが形成されている。本発明の電気電子機器収納用キャビネット２０を取り付ける壁等の取付場所上に、キャビネット取付面１ｇを当接させて、キャビネット取付穴１ｈやキャビネット取付長穴１ｋに、取付ネジを挿通し、この取付ネジを前記取付場所に螺入して、基台１を前記取付場所に取り付けるようにしている。なお、キャビネット取付長穴１ｋに、前記取付ネジを挿通して、基台１を取付場所に取り付け場合には、基台１の取付位置を微調整することが可能となる。
【００２１】
図５にカバー部材２の裏側の斜視図を示して、図６に電気電子機器収納用キャビネット２０の下側から見た斜視図を示して、以下カバー部材２について説明をする。カバー部材２は、一方の面が開放した箱形形状をしている。本実施形態では、カバー部材２は、樹脂で成型されている。図１や図５に示されるように、カバー部材２の上部や下部には、通気孔２ａ、２ｂが形成されている。
【００２２】
図５に示されるように、カバー部材２の上面の縁端部には、係合突起２ｄが突設されている。また、カバー部材２の下面の内面には、内側に向かって延出する引掛突起２ｆが突設されている。カバー部材２の下面の引掛突起２が突設されている部分の両側には、カバー部材２の下面の縁端部に達する一対のスリット２ｇが形成されている。
【００２３】
一方で、図２や図３に示されるように、基台１の上辺部分には、係合凹部１ｍが凹陥形成されている。この係合凹部１ｍが形成されている位置は、基台１にカバー部材２を取り付けた際に、カバー部材２の係合突起２ｄが形成されている位置に対応する位置となっている。また、基台１の下辺部分には、一対の引掛突起１ｎが形成されている。この引掛突起１ｎが形成されている位置は、基台１にカバー部材２を取り付けた際に、カバー部材２の引掛突起２ｆが形成されている位置に対応する位置となっている。
【００２４】
基台１にカバー部材２を取り付ける方法について説明をする。基台１の係合凹部１ｍに、カバー部材２の係合突起２ｄを係合させた状態で、カバー部材２を基台１側に押し込むと、カバー部材２の引掛突起２ｆが基台１の引掛突起１ｎと係合して、基台１にカバー部材２が取り付けられる。
【００２５】
カバー部材２の下側の面には、ロック金具用穴２ｃが形成されている。図７にロック金具の詳細図を示す。図７に示されるように、ロック金具用穴２ｃには、ロック金具３が取り付けられている。ロック金具３は、主に、操作部３ａ、ナット部３ｂ、トーションスプリング３ｃ、ラッチ部３ｄとから構成されている。操作部３ａは、ロック金具用穴２ｃに挿通され、図６に示されるように、操作部３ａの頭部は、カバー部材２の外側に露出している。図７に示されるように、操作部３ａをナット部３ｂで保持して、操作部３ａをロック金具用穴２ｃに取り付けている。操作部３ａには、トーションスプリング３ｃが取り付けられている。操作部３ａの先端には、鉤状のラッチ部３ｄが取り付けられている。つまり、トーションスプリング３ｃは、ナット部３ｂとラッチ部３ｄに挟み込まれて、操作部３ａに取り付けられている。トーションスプリング３ｃにより、ラッチ部３ｄ及び操作部３ａは、ラッチ部３ｄの鉤状部３ｅの先端側方向に回動するように付勢されている。
【００２６】
図２や図３に示されるように、基台１の下辺には、ロック穴１ｐが形成されている。基台１のロック穴１ｐが形成されている位置は、カバー部材２を基台１に取り付けた際に、カバー部材２のロック金具３が取り付けられている位置に対応する位置となっている。カバー部材２を基台１に取り付けると、ラッチ部３ｄの鉤状部３ｅ先端が、基台１のロック穴１ｐ内に侵入し、前述したように、ラッチ部３ｄは付勢されているので、ラッチ部３ｄの鉤状部３ｅの基部３ｆが、ロック穴１ｐの縁部を常時押圧して、ラッチ部３ｄとロック穴１ｐが係合する。このように、カバー部材２にロック部材３を取り付け、このロック部材３に対応する位置の基台１に、ロック穴１ｐを形成して、カバー部材２が、不用意に、基台１から外れることを防止している。
【００２７】
なお、カバー部材２を基台１から取り外す場合には、ドライバー等でロック部材３の操作部３ａを、トーションスプリング３ｃにより付勢されている方向と反対側に回動させることにより、ラッチ部３ｄとロック穴１ｐとの係合を解除する。
【００２８】
なお、ロック金具３に施錠機能をもたせて、ロック金具３で、カバー部材２を施錠する構成にしても差し支えない。
【００２９】
（本発明の使用方法）
図８に電気電子機器を取り付けた状態の説明図を示して、以下、本発明の電気電子機器収納用キャビネット２０の使用方法について説明をする。電気電子機器４１を基台１に取り付けるには、図８に示されるように、電気電子機器４１を機器取付部１ａ上に配置し、
取付ベルト３１を、機器取付部１ａの近傍のベルト挿通孔１ｃに挿通し、機器取付部１ａの裏面に這わせる。図４に取付ベルト３１を機器取付部１ａの裏面に這わした状態が示されている。機器取付部１ａの裏面を這わせた取付ベルト３１を、ベルト挿通孔１ｃから取り出し、電気電子機器４１を取付ベルト３１で抱持し、取付ベルト３１を締め上げた状態で緊縛する。なお、取付ベルト３１は、面ファスナであることが好ましく、取付ベルト３１が面ファスナである場合には、面ファスナの対向する面を接触させるだけで、取付ベルト３１を緊縛することができるので、電気電子機器４１の基台１への取付作業を迅速に行うことが可能となる。
【００３０】
前述したように、機器取付部１ａの裏面と、キャビネット取付面とを離間させて、基台１を構成しているので、本発明の電気電子機器収納用キャビネット２０を壁面等の取付場所に取り付けた場合であっても、機器取付部１ａの裏面と前記取付場所との間に空間があることから、取付ベルト３１を、ベルト挿通孔１ｃに挿通し、機器取付部１ａの裏面を這わせることが可能となる。また、機器取付部１ａの裏面と前記取付場所との間に空間があることから、電気電子機器の配線をベルト挿通孔１ｃに出し入れすることができ、前記配線を機器取付部１ａの裏側に配設することが可能となる。機器取付部１ａの裏面には、脚部１ｊが突設されているので、機器取付部１ａに電気電子機器を取り付ける際に、機器取付部１ａを押圧しても、脚部１ｊと壁面等の取付場所とが当接して、機器取付部１ａが撓まないようになっている。
【００３１】
図８に示される３２はストッパである。ストッパ３２は、受部３２ａと引掛部３２ｂとから構成されている。本実施形態では、ストッパ３２は、樹脂製であり、受部３２ａと引掛部３２ｂとは、一体となって成形されている。引掛部３２ｂは、断面形状が略コの字形状をしていて、受部３２ａは、引掛部３２ｂの面から垂直に延出している。機器取付部１ａの格子の上側から、引掛部３２ｂを機器取付部１ａの格子に引っ掛けて、ストッパ３２を機器取付部１ａに取り付けている。ストッパ３２が取り付けられた状態で、受部３２ａは、機器取付部１ａに対して、垂直に延出するようになっている。
【００３２】
ストッパ３２を機器取付部１ａに取り付け、ストッパ３２の受部３２ａ上に、電気電子機器４１を載せて、電気電子機器４１を取付ベルト３１で機器取付部１ａに取り付けると、電気電子機器４１が、機器取付部１ａから落下することを防止することが可能となる。
【００３３】
なお、電気電子機器の機器取付部１ａへの取付方法は、取付ベルト３１によるものに限定されず、図８に示されるように、電気電子機器４２（図８では、プラグ差し込み口）に取付穴が形成されている場合には、前記取付穴に取付ネジを挿入し、機器取付部１ａの機器取付穴１ｄ、１ｅに前記ネジを螺入して、電気電子機器４２を機器取付部１ａに取り付けることにしても差し支えない。
【００３４】
あるいは、図９に示されるように、取付金具３３、３４に形成されている取付穴３３ａ、３４ａに取付ネジ３５を挿通して、取付ネジ３５を機器取付穴１ｄ、１ｅに螺入し、電気電子機器を、取付金具３３、３４に取り付けることとしてもよい。なお、取付金具３４は、断面形状がＬ字形状をしていて、取付金具３４に取り付けられる電気電子機器４３の取付面を、機器取付部１ａに対して垂直に変換することができるようになっている。従って、高さがある電気電子機器４３であっても、断面形状がＬ字形状の取付金具３４を使用することにより、機器取付部１ａに取り付けることが可能となる。
【００３５】
また、図９に示されるように、機器取付部１ａの機器取付穴１ｄ、１ｅに取り付けられる脚付きアダプター３６を機器取付部１ａに取り付けると、電気電子機器を機器取付部１ａと脚付きアダプター３６の両方に取り付けることができ、電気電子機器収納用キャビネットの収容能力が向上する。
【００３６】
図１０と図１１に基板を取り付けた状態の説明図を示す。図１０や図１１に示されるように、基板３７を基台１に取り付けて使用することもできる。基板３７を基台１に取り付ける方法は、基板３７をリブ１ｑ上に載せて、基板３７の縁部を取付ボス１ｒに当接させて、基板３７の左右方向や上下方向の位置を固定するとともに、取付ボス１ｒの取付穴１ｓにフランジ付ネジ３８を螺入して、リブ１ｑとフランジ付ネジ３８のフランジ部３８ａで、基板３７を挟み込むようにして、基板３７を基台１上に取り付けている。なお、基板３７は、木板や樹脂板、鉄板等で構成されている。基板３７を基台１に取り付けた場合の使用方法は、図１１に示されるように、電気電子機器４４の取付穴にネジを挿入して、このネジを基板３７に螺入して、電気電子機器４４を基板３７に取り付けるようにしている。前述したように、リブ１ｑは、機器取付部１ａの表面から突出しているので、電気電子機器４４を取り付けるネジが、基板３７の裏面から突出したとしても、機器取付部１ａの格子と干渉することがない。つまり、リブ１ｑの、機器取付部１ａの表面からの突出量は、電気電子機器４４を取り付けるネジが、基板３７の裏面から突出したとしても、機器取付部１ａの格子と干渉しない突出量に設定されている。図１１に示されるように、機器取付部１ａを全て覆う基板３７を、リブ１ｑ上に取り付けて使用してもよく、また図１０に示されるように、機器取付部１ａの一部しか覆わない基板３７を、リブ１ｑ上に取り付けて使用してもよい。
【００３７】
なお、上記実施形態では、基板３７をリブ１ｑ上に取り付けたものとしたが、基板３７が十分に厚い場合は、リブ１ｑは必ずしも必須ではなく、リブ１ｑを設けずに取付ボス１ｒに基板の周縁部を当接させて、取付ボス１ｒにフランジ付きネジ３８を螺入して、基板３７を基台１に取り付けることとしても差し支えない。また、機器取付部１ａと枠部１ｂとが段部を形成するように構成し、当該段部に基板３７の縁部を当接させて、基板３７を基台１に取り付けることとしても差し支えない。このような構造とすれば、枠部１ｂにフランジ付きネジ３８を取り付けるのみで基板３７をすることが可能となり、上述したリブ１ｑや取付ボス１ｒを設けなくてよい。
【００３８】
なお、以上説明した実施形態では、機器取付部１ａは格子状をしていて、ベルト挿通孔１ｃは、長方形形状（正方形状を含む）であるが、本発明の電気電子機器収納用キャビネット２０の基台１のベルト挿通孔１ｃは、これに限定されず、例えば、六角形状や円形状、楕円形をしたベルト挿通孔１ｃであっても差し支えないことは言うまでもない。
【００３９】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う電気電子機器キャビネットもまた技術的範囲に包含されるものとして理解されなければならない。   
【図面の簡単な説明】
【００４０】
【図１】電気電子機器収納用キャビネットの斜視図である。
【図２】基台の斜視図である。
【図３】基台の平面図である。
【図４】基台の裏面斜視図である。
【図５】カバー部材の裏面斜視図である。
【図６】電気電子機器収納用キャビネットを下側から見た斜視図である。
【図７】ロック金具の詳細図である。
【図８】電気電子機器を取り付けた状態の説明図である。
【図９】電気電子機器を取り付けた状態の説明図である。
【図１０】基板を取り付けた状態の説明図である。
【図１１】基板を取り付けた状態の説明図である。
【符号の説明】
【００４１】
１      基台
１ａ    機器取付部
１ｂ    枠部
１ｃ    ベルト挿通孔
１ｄ    機器取付穴
１ｅ    機器取付穴
１ｆ    肉ぬすみ
１ｇ    取付面
１ｈ    キャビネット取付穴
１ｊ    脚部
１ｋ    キャビネット取付長穴
１ｍ    係合凹部
１ｎ    引掛突起
１ｐ    ロック穴
１ｑ    リブ
１ｒ    取付ボス
１ｓ    取付穴
１ｔ    枠部の裏面側の外縁
２      カバー部材
２ａ    通気孔
２ｂ    通気孔
２ｃ    ロック金具用穴
２ｄ    係合突起
２ｆ    引掛突起
２ｇ    スリット
３      ロック金具
３ａ    操作部
３ｂ    ナット部
３ｃ    トーションスプリング
３ｄ    ラッチ部
３ｅ    鉤状部
３ｆ    鉤状部の基部
２０    電気電子機器
３１    取付ベルト
３２    ストッパ
３２ａ  受部
３２ｂ  引掛部
３３    取付金具
３３ａ  取付穴
３４    取付金具
３４ａ  取付穴
３５    取付ネジ
３５ａ  取付穴
３６    脚付きアダプター
３７    基板
３８    フランジ付ネジ
３８ａ  フランジ部
４１    電気電子機器
４２    電気電子機器
４３    電気電子機器
４４    電気電子機器
【図１】
0004915951.tif 000002
【図２】
0004915951.tif 000003
【図３】
0004915951.tif 000004
【図４】
0004915951.tif 000005
【図５】
0004915951.tif 000006
【図６】
0004915951.tif 000007
【図７】
0004915951.tif 000008
【図８】
0004915951.tif 000009
【図９】
0004915951.tif 000010
【図１０】
0004915951.tif 000011
【図１１】
0004915951.tif 000012